(57)【要約】【課題】製本形態を設定した後は、操作者が印刷データの順番の入れ替えを考慮することなく、単に機械的に作業を行うことでページ順が揃った製本印刷を容易に実施できる孔版印刷装置を提供する。【解決手段】原稿が画像読取部８０で読み込まれ、その印刷データが記憶部３０に格納される。制御手段２０は、操作パネル１０を介して設定された製本形態に基づいて印刷データのページ順の入れ替えをする。例えば、２つ折りにして重ねる製本形態で原稿が４枚の場合、記憶部３０から２ページ目と３ページ目を取り出し、印刷用紙の裏面に対する製版・印刷がなされる。制御手段２０は操作パネル１０の液晶表示部１６を介してオペレータに片面印刷済みの印刷用紙を裏返して給紙台にセットすべき旨を表示し、セットがなされると記憶部３０から１ページ目と４ページ目を取り出し、印刷用紙の表面に対する製版・印刷がなされる。【選択図】図２
2008120047.tif 000002
【特許請求の範囲】
【請求項１】
製版手段により製版されたマスタを印刷ドラムの外面に巻装し、上記印刷ドラムの内部からインキを供給するとともに給送部から給送された記録媒体を上記印刷ドラムに押圧して印刷を行い、印刷された記録媒体を排出部へ排出する孔版印刷装置において、
複数枚の原稿の印刷データを任意の順序で読み出し可能に保持する記憶手段と、製本の形態を入力する製本形態入力手段と、該製本形態入力手段により入力された製本形態に基づいて上記記憶手段の印刷データの順序を入れ替えて読み出し、該読み出したデータに基づいて上記製版手段を制御する制御手段とを有し、記録媒体の一面に対応するページの印刷データに基づく製版及び必要部数の印刷を行った後に、上記排出部に排出された片面印刷済みの記録媒体を上記給送部に所定の向きで裏返してセットし、その後記録媒体の他面に対応するページの印刷データに基づく製版及び印刷を行うことを特徴とする孔版印刷装置。
【請求項２】
請求項１記載の孔版印刷装置において、
上記製本形態が、印刷された記録媒体を所定枚数ずつ折り、折ったものを重ねたときにページ順になる設定であることを特徴とする孔版印刷装置。
【請求項３】
請求項１記載の孔版印刷装置において、
上記製本形態が、印刷された全ての記録媒体を重ねて折ったときにページ順になる設定であることを特徴とする孔版印刷装置。
【請求項４】
請求項１〜３のいずれか一つに記載の孔版印刷装置において、
記録媒体の表面に対応する製版・印刷が終了した後に該片面印刷済みの記録媒体の上記給送部へのセットを促す報知手段を有していることを特徴とする孔版印刷装置。
【請求項５】
請求項４記載の孔版印刷装置において、
上記報知手段は、上記給送部へのセットを音声により促す機能を有していることを特徴とする孔版印刷装置。
【請求項６】
請求項４又は５記載の孔版印刷装置において、
上記報知手段は、上記給送部へのセットの仕方を動画により表示する機能を有していることを特徴とする孔版印刷装置。
【発明の詳細な説明】
【技術分野】
【０００１】
本発明は、原稿の画像データ（印刷データ）に基づいて穿孔製版されたマスタを印刷ドラムの外面に巻装して印刷を行う孔版印刷装置に関する。
【背景技術】
【０００２】
印刷装置を用いて製本を行う場合、製本形態としては、表裏面に見開きで印刷された用紙を２つ折りにしたものを重ねたときにページ順が合うようにする方式と、印刷された全ての印刷用紙を重ねて折ったときにページ順が合うようにする方式がある。
引用文献１には、両面印刷が可能なプリンタを用い、所望の順序で読み出し可能な格納手段に格納された印刷データのページ配置をユーザの要望に基づく製本設定にしたがって決定し、出力された全ての用紙を２つ折りにする場合に比べて労力を軽減する方式が記載されている。
引用文献２には、小冊子に相当する冊子データを複数用意することなく、冊子全ページを含む冊子データから複数の小冊子データを作成してページ合わせをし、両面印刷が可能なプリンタを用いて印刷する技術が記載されている。
【０００３】
【特許文献１】特開平１０−３０９８５０号公報
【特許文献２】特開２００６−２０９６１５号公報
【発明の開示】
【発明が解決しようとする課題】
【０００４】
上述のように両面印刷が可能なプリンタを用いて製本印刷をすることは従来より行われているが、孔版印刷装置においては実施できる状況に至っていない。
例えば、１パスで片面印刷しかできない孔版印刷装置において、製本画像を得るためには、原稿を読み込む際に、操作者が表面毎及び裏面毎に製版される画像を考えながら、原稿の順番を入れ替えて製版・印刷を行う必要がある。この場合、原稿の枚数が少ない時は原稿の順番の入れ替えを正確に認識可能であるが、原稿の枚数が多くなった時には極めて困難となり、原稿の順番の入れ替えミスを招く蓋然性が極めて高い。
【０００５】
本発明は、製本形態を設定した後は、操作者が原稿の順番の入れ替えを考慮することなく、単に機械的に作業を行うことでページ順が揃った製本印刷を容易に実施できる孔版印刷装置の提供を、その目的とする。
【課題を解決するための手段】
【０００６】
上記目的を達成するために、請求項１記載の発明では、製版手段により製版されたマスタを印刷ドラムの外面に巻装し、上記印刷ドラムの内部からインキを供給するとともに給送部から給送された記録媒体を上記印刷ドラムに押圧して印刷を行い、印刷された記録媒体を排出部へ排出する孔版印刷装置において、複数枚の原稿の印刷データを任意の順序で読み出し可能に保持する記憶手段と、製本の形態を入力する製本形態入力手段と、該製本形態入力手段により入力された製本形態に基づいて上記記憶手段の印刷データの順序を入れ替えて読み出し、該読み出したデータに基づいて上記製版手段を制御する制御手段とを有し、記録媒体の一面に対応するページの印刷データに基づく製版及び必要部数の印刷を行った後に、上記排出部に排出された片面印刷済みの記録媒体を上記給送部に所定の向きで裏返してセットし、その後記録媒体の他面に対応するページの印刷データに基づく製版及び印刷を行うことを特徴とする。
【０００７】
請求項２記載の発明では、請求項１記載の孔版印刷装置において、上記製本形態が、印刷された記録媒体を所定枚数ずつ折り、折ったものを重ねたときにページ順になる設定であることを特徴とする。
請求項３記載の発明では、請求項１記載の孔版印刷装置において、上記製本形態が、印刷された全ての記録媒体を重ねて折ったときにページ順になる設定であることを特徴とする。
【０００８】
請求項４記載の発明では、請求項１〜３のいずれか一つに記載の孔版印刷装置において、記録媒体の表面に対応する製版・印刷が終了した後に該片面印刷済みの記録媒体の上記給送部へのセットを促す報知手段を有していることを特徴とする。
請求項５記載の発明では、請求項４記載の孔版印刷装置において、上記報知手段は、上記給送部へのセットを音声により促す機能を有していることを特徴とする。
請求項６記載の発明では、請求項４又は５記載の孔版印刷装置において、上記報知手段は、上記給送部へのセットの仕方を動画により表示する機能を有していることを特徴とする。
【発明の効果】
【０００９】
本発明によれば、片面印刷対応の孔版印刷装置や、製本条件によって片面印刷機能しか使用できない両面印刷対応の孔版印刷装置において、製本印刷を簡単に実施することができる。
また、オペレータが原稿の順番入れ替えを考える必要がないので、順番入れ替えミスによる製版の無駄を防止できるとともに、順番入れ替えを考える時間ロスを無くして作業時間の能率向上を図ることができる。
【発明を実施するための最良の形態】
【００１０】
以下、本発明の一実施形態を図１乃至図１６に基づいて説明する。
まず、図１に基づいて、本実施形態における孔版印刷装置の全体構成及び孔版印刷プロセスの概要を説明する。
装置本体５０の上部にはＡＤＦ機能を備えた画像読取部８０が設けられており、その下方中央部には多孔性の印刷ドラム（版胴）１０１を有する印刷部１００が設けられている。印刷部１００の上方右側には製版手段としての製版部９０が設けられ、印刷部１００の上方左側には排版部７０が設けられている。また、製版部９０の下方には給送部としての給紙部１１０が、印刷部１００の下方には印圧部１２０が、排版部７０の下方には排紙部１３０が、それぞれ設けられている。
【００１１】
次に、上記構成に係る孔版印刷装置の印刷動作を説明する。
まず、画像読取部８０の上部に配置された図示しない原稿載置台に、印刷すべき画像を持った原稿６０を載置し、操作パネル１０(図２参照)上の製版スタートキーを押す。この製版スタートキーの押下に伴い、まず排版工程が実行される。すなわち、この状態においては、印刷部１００の印刷ドラム１０１の外周面に前回の印刷で使用された使用済みマスタ６１ｂが装着されたまま残っている。
【００１２】
印刷ドラム１０１が反時計回りに回転し、印刷ドラム１０１の外周面の使用済みマスタ６１ｂの後端部が排版剥離ローラ対７１ａ、７１ｂに近づくと、この排版剥離ローラ対７１ａ、７１ｂは回転しつつ一方の排版剥離ローラ対７１ａで使用済みマスタ６１ｂの後端部をすくい上げる。
使用済みマスタ６１ｂは、排版剥離ローラ対７１ａ、７１ｂの左側に配設された排版コロ対７３ａ、７３ｂと排版剥離ローラ対７１ａ、７１ｂとの間に掛け回された排版搬送ベルト対７２ａ、７２ｂで矢印Ｙ１方向へ搬送されつつ排版ボックス７４内へ排出され、印刷ドラム１０１の外周面から引き剥がされて排版工程が終了する。このとき、印刷ドラム１０１は反時計回り方向への回転を続けている。剥離・排出された使用済みマスタ６１ｂは、その後、圧縮板７５により排版ボックス７４の内部で圧縮される。
【００１３】
排版工程と並行して、画像読取部８０で原稿読み取りが行われる。図示しない原稿台に載置された原稿６０は、分離ローラ８１、前方原稿搬送ローラ対８２ａ、８２ｂ及び後方原稿搬送ローラ対８３ａ、８３ｂのそれぞれの回転により矢印Ｙ２からＹ３方向に搬送されつつ露光読み取りに供される。このとき、原稿６０が複数枚あるときは、分離ブレード８４の作用でその最下位の原稿から１枚ずつ搬送される。原稿６０の画像読み取りは、コンタクトガラス８５上を搬送されつつ、蛍光灯８６により照明された原稿６０の表面からの反射光を、ミラー８７で反射させ、レンズ８８を通してＣＣＤ（電荷結合素子）から成る画像センサ８９に入射させることにより行われる。
原稿６０の読み取りは、周知である縮小式の原稿読取方式で行われ、その画像が読み取られた原稿６０は原稿トレイ８０Ａ上に排出される。画像センサ８９で光電変換された電気信号は、装置本体５０内の図示しないアナログ／デジタル（Ａ／Ｄ）変換基板に入力され、デジタル画像信号に変換される。
【００１４】
この画像読み取り動作と並行して、デジタル信号化された画像情報に基づき製版及び給版工程が行われる。製版部９０の所定部位にセットされたロール状の未製版のマスタ６１は、ロール状態から引き出され、記録デバイスとしてのサーマルヘッド９１にマスタ６１を介して押圧されているプラテンローラ９２、及びテンションローラ対９３ａ、９３ｂの回転により搬送路の下流側に搬送される。
このように搬送されるマスタ６１に対して、サーマルヘッド９１にライン状に並んだ複数個の微小な発熱抵抗体が、図示しないＡ／Ｄ変換基板から送られてくるデジタル画像信号に応じて各々選択的に発熱し、発熱した発熱抵抗体に接触しているマスタ６１の熱可塑性樹脂フィルムが溶融穿孔される。
このように、画像情報に応じたマスタ６１の位置選択的な溶融穿孔により、画像情報が穿孔パターンとして書き込まれる。
【００１５】
画像情報が書き込まれた製版済みマスタ６１ａの先端は、給版ローラ対９４ａ、９４ｂにより印刷ドラム１０１の外周部側へ向かって送り出され、図示しないガイド部材により進行方向を下方へ変えられ、図示する給版位置状態にある印刷ドラム１０１の拡開したマスタクランパ１０２（仮想線で示す）へ向かって垂れ下がる。このとき印刷ドラム１０１は、排版工程により使用済みマスタ６１ｂを既に除去されている。
【００１６】
製版済みマスタ６１ａの先端が、一定のタイミングでマスタクランパ１０２によりクランプされると、印刷ドラム１０１は図中Ａ方向（時計回り方向）に回転しつつ外周面に製版済みマスタ６１ａを徐々に巻き付けていく。製版済みマスタ６１ａの後端部はカッタ９５により一定の長さに切断される。
【００１７】
一版の製版済みマスタ６１ａが印刷ドラム１０１の外周面に巻装されると製版及び給版工程が終了し、印刷工程が開始される。まず、給紙台５１上に積載されたシート状記録媒体としての印刷用紙（以下、単に「用紙」ともいう）６２のうちの最上位の１枚が、給紙コロ１４０によりレジストローラ対１４２に向けて矢印Ｙ４方向に送り出され、さらにレジストローラ対１４２によりドラム部１００の回転と同期した所定のタイミングで印圧部（画像転写部位）１２０に送られる。送り出された印刷用紙６２が、印刷ドラム１０１と押圧部材としてのプレスローラ１０３との間にくると、印刷ドラム１０１の外周面下方に離間していたプレスローラ１０３が図示しない印圧付与機構により上方に移動されることにより、印刷ドラム１０１の外周面に巻装された製版済みマスタ６１ａに押圧される。
こうして、印刷ドラム１０１の開孔部及び製版済みマスタ６１ａの穿孔パターン部（共に図示せず）からインキが滲み出し、この滲み出たインキが印刷用紙６２の表面に転移して印刷画像が形成される。この給版工程後の１枚目の印刷を版付けと呼ぶ場合もある。
【００１８】
印刷ドラム１０１の内周側では、インキ供給管１０４からインキローラ１０５とドクターローラ１０６との間に形成されたインキ溜り１０７にインキが供給され、印刷ドラム１０１の回転方向と同一方向に、且つ、印刷ドラム１０１の回転速度と同期して回転しながら内周面に転接するインキローラ１０５により、インキが印刷ドラム１０１の内周側に供給される。
プレスローラ１０３はインキローラ１０５と対向する位置をもって印刷ドラム１０１の外部に配置されている。
【００１９】
印圧部１２０において印刷画像が形成された印刷用紙６２は、分離爪１１４により印刷ドラム１０１から分離され、吸着用ファン１１８を有する記録媒体受け手段としての吸着搬送装置１１９に吸引されて搬送される。具体的には、吸着搬送装置１１９の吸着排紙入口ローラ１１５及び吸着排紙出口ローラ１１６に掛け渡された搬送ベルト１１７の反時計回り方向の回転により、該搬送ベルト１１７に密着して矢印Ｙ５のように排紙部１３０へ向かって搬送され、排紙台５２上に順次排出積載される。このようにして所謂試し刷りが終了する。
次に、図示しないテンキーで印刷枚数をセットし、図示しない印刷スタートキーを押下すると上記試し刷りと同様の工程で、給紙、印刷及び排紙の各工程がセットした印刷枚数分繰り返して行なわれ、孔版印刷の全工程が終了する。
【００２０】
図２に示すように、印刷部１００、製版部９０、給紙部１１０、排紙部１３０、画像読取部８０、排版部７０等は制御手段２０により制御される。Ａ／Ｄ変換基板によりデジタル画像信号に変換された原稿の画像データ（印刷データ）、あるいはＰＣから送られてくる印刷データは、任意（所望）の順序で読み出し可能に保持する記憶手段としての記憶部３０に格納される。
図３に示すように、操作パネル１０には、製版スタートキー１１、印刷スタートキー１２、停止キー１３、カウンタ１４、テンキー１５、表示手段としての液晶表示部１６、製本形態入力手段としての製本形態入力キー１７等が備えられている。
製本形態入力キー１７を押すと、液晶表示部１６に製本形態の種類が表示される。すなわち、用紙を２つ折りにしたものを重ねたときにページ順が合うようにする方式（以下、「ミニ本方式」という）と、印刷された全ての印刷用紙を重ねて折ったときにページ順が合うようにする方式（以下、「週刊誌方式」という）が表示される。所望のタッチキーを押すことにより入力される。また、テンキー１５により印刷部数を入力する。
【００２１】
まず、「ミニ本方式」が選択された場合について説明する。
ミニ本方式の場合、図４に示すように、印刷用紙６２の裏面に原稿の２ページ目と３ページ目の印刷データに基づく印刷がなされ、その後、表面に原稿の１ページ目と４ページ目の印刷データに基づく印刷がなされる。両面印刷終了後に印刷用紙６２を折ると、図５に示すようにページ順となる。
ここでの「裏面」、「表面」は、それぞれ単に両面印刷後の排紙下面、上面を意味し、この面順序、印刷順序に限定される趣旨ではない。
同様に５ページ〜８ページを製版・印刷して２つ折りにし、重ねて綴じるとページ数の少ないミニ本が製本される。１枚の印刷用紙６２を２つ折りにしただけの印刷物もここでいうミニ本である。
同様の製版・印刷を繰り返すことにより、所望のページ数のミニ本を製本することができる。
【００２２】
上記印刷動作を、図６〜図９に基づいて原稿が４枚の場合について詳細に説明する。
図６に示すように、画像読取部８０の原稿載置台に４枚の原稿をセットして操作パネル１０上の図示しない読み取り開始キーを押すと、操作パネル１０上の図示しない原稿読み込み終了キーが押されないかぎりは４枚まで連続して読み取られる。１枚毎に原稿読み込み処理（デジタル画像信号の変換を含む）がなされ、その印刷データは記憶部３０に格納される。ここでは、原稿の読み取り終了をオペレータが判断することとしたが、予め原稿枚数を入力し、これに基づいて制御手段２０が自動的に判断して原稿読み込み処理に移行するようにしてもよい。
図７に示すように、制御手段２０は記憶部３０に保持されている印刷データから２ページ目と３ページ目のデータを取り出し、印刷用紙６２の裏面に印刷する画像データを作成する。作成された画像データは製版部９０へ送られ、製版がなされる。製版後、予め入力された印刷部数（必要枚数）に基づいて印刷がなされる。
【００２３】
必要部数の印刷（片面印刷）が終了すると、制御手段２０は、操作パネル１０の液晶表示部１６を介してオペレータに、排紙台５２上の印刷用紙６２を取り出し、裏返して給紙台５１にセットすることを促す。
ここでは、図８に示すように、液晶表示部１６に「排紙台にあるプリントした用紙を下図のように裏返して給紙台にセットしてください。」なる旨の表示（警告）を行うとともに、裏返してセットする仕方をアニメーション画像（動画）で表示する。セットの仕方あるいはオペレータの認識度合いによってはページ順のミスを来たす虞があるが、動画表示とした場合には実際のセットの仕方を分かり易くオペレータに認識させることができるので、セットミスを防止できる。動画でなく、セットの仕方を段階的に表示した静止画でもよい。
制御手段２０と液晶表示部１６により、報知手段が構成される。液晶表示部１６に文字で表示せずに、裏返してセットする必要がある旨を音声で知らせるようにしてもよい。この場合も裏返してセットする仕方を動画で表示するのが望ましい。
【００２４】
片面印刷済みの印刷用紙６２が給紙台５１に裏返してセットし、図３の製版スタートキー１１または図８の確認キーが押されると、制御手段２０は記憶部３０に保持されている印刷データから１ページ目と４ページ目のデータを取り出し、印刷用紙６２の表面に印刷する画像データを作成する。作成された画像データは製版部９０へ送られ、製版がなされる。製版後印刷がなされる。
排紙台５２から両面印刷済みの印刷用紙６２を取り出し、半分に折ることによりページ順に原稿画像が印刷された印刷物（ミニ本）を得ることができる。
原稿が４枚以上の場合には、上記製版・印刷動作を繰り返す。
ミニ本の場合でも、原稿を４枚毎に読み込むのではなく、図１２に示す週刊誌方式（後述）のように、全て読み込んで原稿枚数に応じて片面の製版・印刷を繰り返し、片面印刷済みの用紙を裏返して給紙台５１にセットした後、他方の面の製版・印刷を繰り返すように印刷してもよい。
【００２５】
次に、図１０乃至図１６に基づいて「週刊誌方式」が選択された場合について説明する。
週刊誌方式の場合、図１０に示すように、例えば原稿枚数が８枚の場合、１つのセットの印刷用紙６２の裏面に原稿の２ページ目と７ページ目の印刷データに基づく印刷がなされ、別のセットの印刷用紙６２の裏面に原稿の４ページ目と５ページ目の印刷データに基づく印刷がなされ、その後、１つのセットの印刷用紙６２の表面に原稿の１ページ目と８ページ目の印刷データに基づく印刷がなされ、別のセットの印刷用紙６２の表面に原稿の３ページ目と６ページ目の印刷データに基づく印刷がなされる。両面印刷終了後に印刷用紙６２を重ねた状態で折ると、図１１に示すようにページ順となる。
【００２６】
上記印刷動作を、図１２〜図１６に基づいて原稿が８枚の場合について詳細に説明する。
図１２に示すように、画像読取部８０の原稿載置台に８枚の原稿をセットして操作パネル１０上の図示しない読み取り開始キーを押すと、操作パネル１０上の図示しない原稿読み込み終了キーが押されないかぎり８枚全て連続して読み取られる。１枚毎に原稿読み込み処理（デジタル画像信号の変換を含む）がなされ、その印刷データは記憶部３０に格納される。ここでは原稿の数を８枚としているが、記憶部３０に保持できる枚数（容量）まで何枚でもかまわない。その場合、以下で説明しているページ番号は読み込んだ原稿枚数により変化する。また、用紙のセット数も同様に読み込んだ原稿枚数により変化する。
【００２７】
図１３に示すように、制御手段２０は記憶部３０に保持されている印刷データから２ページ目と７ページ目のデータを取り出し、印刷用紙６２の裏面（Ａセットとする）に印刷する画像データを作成する。作成された画像データは製版部９０へ送られ、製版がなされる。製版後、予め入力された印刷部数（必要枚数）に基づいて印刷がなされる。
印刷した用紙はそのままの状態で、制御手段２０は、図１４に示すように、記憶部３０に保持されている印刷データから４ページ目と５ページ目のデータを取り出し、印刷用紙６２の裏面（Ｂセットとする）に印刷する画像データを作成する。作成された画像データは製版部９０へ送られ、製版がなされる。製版後、予め入力された印刷部数（必要枚数）に基づいて印刷がなされる。
【００２８】
必要部数の印刷（片面印刷）が終了すると、制御手段２０は、操作パネル１０の液晶表示部１６を介してオペレータに排紙台５２上の用紙（Ａセット、Ｂセットを一緒に）を取り出し、裏返して給紙台５１にセットすることを促す。その警告報知（表示）はミニ本方式の場合と同様である。
片面印刷済みの印刷用紙６２が給紙台５１に裏返してセットし、図３の製版スタートキー１１または図８の確認キーが押されると（この場合、Ａセットの用紙の表面が一番上にくる）、図１５に示すように、制御手段２０は記憶部３０に保持されている印刷データから１ページ目と８ページ目のデータを取り出し、Ａセット用の用紙表面に印刷する画像データを作成する。作成された画像データは製版部９０へ送られ、製版がなされる。製版後Ａセットの枚数分印刷がなされる。
印刷した用紙はそのままの状態で、制御手段２０は、図１６に示すように、記憶部３０に保持されている印刷データから３ページ目と６ページ目のデータを取り出し、Ｂセット用の用紙表面に印刷する画像データを作成する。作成された画像データは製版部９０へ送られ、製版がなされる。製版後Ｂセットの枚数分印刷がなされる。
両面印刷された用紙を取り出し、重ねて半分に折ることによりページ順に印刷された印刷物（週刊誌）を得ることができる。
ミニ本方式のように、原稿４枚毎に印刷する方法でもかまわない。
【００２９】
上記実施形態では、片面印刷しかできない構成の孔版印刷装置への適用例を示したが、例えば使用紙の最大サイズがＡ３の両面印刷可能な孔版印刷装置で、Ａ４サイズの製本印刷を行う場合に片面印刷機能しか使用できないケースでも同様に実施できる。
なお、孔版印刷装置にソーターが接続されている場合は、製本形態入力キー１７による製本形態を選択し、図示しないソートキーを押すことで、一面の印刷はソートすることなく１箇所に排紙し、裏返して他面を印刷した後はそれぞれ部数単位でソートするように構成してもよい。
【図面の簡単な説明】
【００３０】
【図１】本発明の一実施形態における孔版印刷装置の概要構成図である。
【図２】制御系統のブロック図ある。
【図３】操作パネルの概要平面図である。
【図４】ミニ本方式の製本における原稿と、印刷用紙の表裏面での画像配置関係を示す図である。
【図５】ミニ本方式における綴じる前の製本状態を示す斜視図である。
【図６】ミニ本方式における原稿読み込み処理のフローチャートである。
【図７】ミニ本画像形成と用紙裏面に対する製版印刷のフローチャートである。
【図８】報知手段による「裏返しセットが必要である」旨の警告画面とその仕方の動画を示す図である。
【図９】ミニ本画像形成と用紙表面に対する製版印刷のフローチャートである。
【図１０】週刊誌方式の製本における原稿と、印刷用紙の表裏面での画像配置関係を示す図である。
【図１１】週刊誌方式における綴じる前の製本状態を示す斜視図である。
【図１２】週刊誌方式における原稿読み込み処理のフローチャートである。
【図１３】週刊誌画像形成と用紙裏面（Ａセット）に対する製版印刷のフローチャートである。
【図１４】週刊誌画像形成と用紙裏面（Ｂセット）に対する製版印刷のフローチャートである。
【図１５】週刊誌画像形成と用紙表面（Ａセット）に対する製版印刷のフローチャートである。
【図１６】週刊誌画像形成と用紙表面（Ｂセット）に対する製版印刷のフローチャートである。
【符号の説明】
【００３１】
１６  報知手段の一部をなす液晶表示部
１７  製本形態入力手段としての製本形態入力キー
２０  制御手段
３０  記憶手段としての記憶部
９０  製版手段としての製版部
６０  原稿
６１  マスタ
６２  記録媒体としての印刷用紙
１０１  印刷ドラム
１１０  給送部としての給紙部
１３０  排出部としての排紙部
【図１】
2008120047.tif 000003
【図２】
2008120047.tif 000004
【図３】
2008120047.tif 000005
【図４】
2008120047.tif 000006
【図５】
2008120047.tif 000007
【図６】
2008120047.tif 000008
【図７】
2008120047.tif 000009
【図８】
2008120047.tif 000010
【図９】
2008120047.tif 000011
【図１０】
2008120047.tif 000012
【図１１】
2008120047.tif 000013
【図１２】
2008120047.tif 000014
【図１３】
2008120047.tif 000015
【図１４】
2008120047.tif 000016
【図１５】
2008120047.tif 000017
【図１６】
2008120047.tif 000018